(57)【要約】      （修正有）【課題】選択的に異なる差し込み角度で充電可能な電子装置を提供し、特に、充電機能付き電子装置を提供する。【解決手段】ケース１１２と、少なくとも２つの接続端子１１４、１１６と、を含む電子装置本体１１０と、コネクタケーシング１２２と、少なくとも２つの導電ピン１２４、１２６と、を含み、電子装置本体１１０に着脱自在に組み立てられるコネクタセット１２０と、を備え、コネクタセット１２０が第１のモードで電子装置本体１１０に組み立てられる場合、導電ピン１２４、１２６は第１の延伸方向を有し、コネクタセット１２０が第２のモードで電子装置本体１１０に組み立てられる場合、導電ピン１２４、１２６は第１の延伸方向との間に角度が挟まれる第２の延伸方向を有する。【選択図】図２Ａ
0003200505.tif 000002
【実用新案登録請求の範囲】
【請求項１】
ケースと、少なくとも２つの接続端子と、を含む電子装置本体と、
コネクタケーシングと、少なくとも２つの導電ピンと、を含み、前記電子装置本体に着脱自在に組み立てられるコネクタセットと、
を備え、
前記コネクタセットが第１のモードで前記電子装置本体に組み立てられる場合、前記導電ピンは第１の延伸方向を有し、前記コネクタセットが第２のモードで前記電子装置本体に組み立てられる場合、前記導電ピンは前記第１の延伸方向との間に角度が挟まれる第２の延伸方向を有する電子装置。
【請求項２】
前記接続端子は、少なくとも第１の接続端子及び第２の接続端子を含み、前記導電ピンは、少なくとも第１の導電ピン及び第２の導電ピンを含み、前記コネクタセットが前記第１のモードで前記電子装置本体に組み立てられる場合、前記第１の導電ピンは、前記第１の接続端子に電気的接続され、前記第２の導電ピンが前記第２の接続端子に電気的接続され、前記コネクタセットが前記第２のモードで前記電子装置本体に組み立てられる場合、前記第１の導電ピンは、前記第２の接続端子に電気的接続され、前記第２の導電ピンは、前記第１の接続端子に電気的接続される請求項１に記載の電子装置。
【請求項３】
前記第１の延伸方向は、前記第２の延伸方向に垂直である請求項１又は請求項２に記載の電子装置。
【請求項４】
前記コネクタケーシングは、前記接続端子の中線に対して対称な外形を有する請求項１に記載の電子装置。
【請求項５】
前記導電ピンは、異なる長さを有する請求項１に記載の電子装置。
【請求項６】
前記電子装置本体と前記コネクタセットとは、係合又は磁気で固定される請求項１に記載の電子装置。
【請求項７】
前記電子装置本体に円柱状ボスが設けられ、前記円柱状ボスの外壁にねじ山があり、前記コネクタセットにスリーブ部が設けられ、前記スリーブ部の内壁にねじ山を有する請求項１に記載の電子装置。
【請求項８】
前記電子装置本体に三角形台座が設けられ、前記接続端子中の２つが別々に前記三角形台座の２つの側面に設けられる請求項１に記載の電子装置。
【考案の詳細な説明】
【技術分野】
【０００１】
本考案は、電子装置に関し、特に、充電機能付き電子装置に関する。
【背景技術】
【０００２】
３Ｃ（Ｃｏｍｐｕｔｅｒ、  Ｃｏｍｍｕｎｉｃａｔｉｏｎｓ  ａｎｄ  Ｃｏｎｓｕｍｅｒ）産業の発展につれて、生活の補助的な手段として携帯式電子装置を用いる人は、ますます多くなる。例としては、個人情報端末（ｐｅｒｓｏｎａｌ  ｄｉｇｉｔａｌ  ａｓｓｉｓｔａｎｔ；ＰＤＡ）、携帯電話（ｍｏｂｉｌｅ  ｐｈｏｎｅ）、スマートフォン（ｓｍａｒｔ  ｐｈｏｎｅ）、タブレットコンピュータ及びノートパソコン等のよく見られる携帯電子装置は、体積が小型であり、携帯しやすいため、用いる人数がますます多くなり、要求される機能もますます多様化してくる。
【考案の概要】
【考案が解決しようとする課題】
【０００３】
携帯式電子装置は、ちゃんと電源が供給されなければ動作を維持できないが、充電の場合、充電器のまちまちな設計で互に干渉や排斥し、複数の充電器で同時に充電しにくい恐れがある。
【課題を解決するための手段】
【０００４】
本考案の実施例は、選択的に異なる差し込み角度で充電可能な電子装置を提供し、特に、充電機能付き電子装置を提供する。
【０００５】
本考案の一実施形態では、ケースと、少なくとも２つの接続端子と、を含む電子装置本体と、コネクタケーシングと、少なくとも２つの導電ピンと、を含み、電子装置本体に着脱自在に組み立てられるコネクタセットと、を備え、コネクタセットが第１のモードで電子装置本体に組み立てられる場合、導電ピンは第１の延伸方向を有し、コネクタセットが第２のモードで電子装置本体に組み立てられる場合、導電ピンは第１の延伸方向との間に角度が挟まれる第２の延伸方向を有する電子装置を提供する。
【考案の効果】
【０００６】
本考案の提供する電子装置は、他のもの又は自身に充電する機能を有してもよく、異なる接合方向を提供できるが、本考案はこれに限定されない。電子装置が充電しようとする場合、導電ピンは、異なる方向を選んで壁又は他の電気供給端子に差し込まれてもよく、空間使用の柔軟性を効果のに向上させ、多すぎる充電器を同時に用いることによる空間の詰まることで同時に充電できない問題を解決した。
【図面の簡単な説明】
【０００７】
【図１】本考案の一実施例における充電機能付き電子装置の使用状態を示す模式図である。
【図２Ａ】本考案の一実施例における充電機能付き電子装置を示す外観模式図である。
【図２Ｂ】本考案の一実施例における充電機能付き電子装置を示す分解図である。
【図３Ａ】図２Ａに示した電子装置が第１のモードで組み立てられる場合のある段階を示す模式図である。
【図３Ｂ】図２Ａに示した電子装置が第１のモードで組み立てられる場合の別の段階を示す模式図である。
【図４Ａ】図２Ａに示した電子装置が第２のモードで組み立てられる場合のまた別の段階を示す模式図である。
【図４Ｂ】図２Ａに示した電子装置が第２のモードで組み立てられる場合のもう一つの段階を示す模式図である。
【図５】本考案の一実施例における電子装置を示す分解図である。
【図６】本考案の一実施例における電子装置を示す分解図である。
【図７】本考案の一実施例における電子装置を示す分解図である。
【図８】本考案の一実施例における電子装置を示す分解図である。
【図９Ａ】図８に示した電子装置の第１のモードでの組み立て模式図である。
【図９Ｂ】図８に示した電子装置の第２のモードでの組み立て模式図である。
【図１０】図８に示したコネクタのケーシングを別の視角から見た模式図である。
【図１１】本考案の更に１つの実施例における電子装置を示す分解図である。
【図１２Ａ】図１１に示した電子装置の第１のモードでの組み立て模式図である。
【図１２Ｂ】図１１に示した電子装置の第２のモードでの組み立て模式図である。
【図１３Ａ】図１２Ａに示した電子装置のケース部分を隠した組み立て模式図である。
【図１３Ｂ】図１２Ｂに示した電子装置のケース部分を隠した組み立て模式図である。
【考案を実施するための形態】
【０００８】
以下、図面及び詳しい説明で本考案の精神を明らかに説明するが、当業者であれば、本考案の好適な実施例を理解した上で、本考案の教示した技術によって、本考案の精神と範囲から逸脱せずに、変更や修正を加えることができる。
【０００９】
図１を参照されたい。図１は、本考案の一実施例における充電機能付き電子装置の使用状態を示す模式図である。この実施例において、電子装置を壁における家庭用電気コンセントに差し込んで家庭用電気によって充電してもよいが、本考案はこれに限定されない。例としては、電子装置は、そのまま壁における家庭用電気コンセントに差し込まれる、交流電圧を直流電圧に変換する変圧機能付きの充電器１００ａであってもよく、携帯式電子装置２００は、線材２１０を介して充電器１００ａに接続されて家庭用電気によって充電されてもよく、つまり、充電器１００ａと家庭用電気との間に別に線材を加えなくてもよい。又は、他の実施例において、このような充電機能付き電子装置は、充電の場合、別に接続デバイスを加えずにそのまま壁における家庭用電気コンセント等に差し込まれて充電される携帯電源１００ｂであってもよいが、本考案はこれに限定されない。同時に複数の充電器１００ａ及び／又は携帯電源１００ｂが壁における電気コンセント等の電力供給源に差し込まれる場合があるため、これらの充電器１００ａ及び／又は携帯電源１００ｂが互に干渉しないようにするために、本考案の充電機能付き電子装置は、使用者が実際の要求に応じて調整しやすくするように、多種の差し込み角度を提供することができる。
【００１０】
図２Ａと図２Ｂを参照されたい。図２Ａは、本考案の一実施例における充電機能付き電子装置を示す外観模式図である。図２Ｂは、本考案の一実施例における充電機能付き電子装置を示す分解図である。電子装置１００は、電子装置本体１１０と、電子装置本体１１０に着脱自在に組み立てられるコネクタセット１２０と、を備える。電子装置本体１１０は、ケース１１２と、２つの接続端子１１４、１１６と、を含む。本実施例において、接続端子がケース１１２から露出してもよいが、他の実施例において、接続端子がケース１１２の中に設けられてもよく、本考案はこれに限定されない。電子装置本体１１０は、例えば、変圧回路基板、蓄電池等の、ケース１１２内に設けられた機能モジュールを含んでもよいが、本考案はこれに限定されない。接続端子１１４、１１６が一部の機能モジュールに接続されてもよい。コネクタセット１２０は、コネクタケーシング１２２、及びコネクタケーシング１２２上に設けられた２つの導電ピン１２４、１２６を含むが、本考案はこれに限定されなく、例えば、導電ピンの数は、１つ又は複数であってもよい。本実施例において、導電ピンがコネクタケーシングから露出してもよいが、他の実施例においては、導電ピンがコネクタケーシングの中に設けられてもよく、またコネクタケーシングに固定されてもよいし、着脱可能なものであってもよいが、本考案はこれに限定されない。コネクタセット１２０が壁における家庭用電気コンセントに差し込まれて、導電ピン１２４、１２６を介して接続端子１１４、１１６と導通して電気エネルギーを電子装置本体１１０まで伝送してもよいが、本考案はこれに限定されない。
【００１１】
本実施例において、コネクタセット１２０が電子装置本体１１０に着脱自在に組み立てられてもよく、即ち、コネクタセット１２０と電子装置本体１１０とが様々な形式で組み立てもよい。使用者は、異なる要求に応じて、コネクタセット１２０と電子装置本体１１０との組み立てモードを選ぶことができ、よって、電子装置１００の壁に差し込まれた角度が選択性に優れ、以下、図面と実施例を合わせて詳しく説明する。ある実施例において、この電子装置は、立方体等の六面体であってもよく、面取り設計された矩形であってもよく、また例えば、多面体又は不規則体等の他の形であってもよいが、本考案はこれに限定されない。
【００１２】
図３Ａと図３Ｂを参照されたい。図３Ａは、図２Ａに示した電子装置が第１のモードで組み立てられる場合のある段階を示す模式図である。図３Ｂは、図２Ａに示した電子装置が第１のモードで組み立てられる場合の別の段階を示す模式図である。本実施例において、コネクタセット１２０と電子装置本体１１０は、摺動自在に接続するように組み立てられてもよい。具体的には、電子装置本体１１０及びコネクタセット１２０には、対応するレール構造１３２、１３４がそれぞれ設けられてもよく、コネクタセット１２０と電子装置本体１１０とを組み立てる場合、電子装置本体１１０におけるレール構造１３２がコネクタセット１２０におけるレール構造１３４の間の隙間を通過して、コネクタセット１２０及び電子装置本体１１０の両者を図３Ｂに示すように互に係合させることができる。
【００１３】
より具体的には、コネクタセット１２０と電子装置本体１１０が組み立てられた後、電子装置１００は、実質的に矩形である外形を有してもよく、コネクタセット１２０は矩形の一角であるが、本考案の外形はこれに限定されなく、例えば、コネクタセット１２０は、更に矩形の一辺であってもよい。この実施例において、導電ピン１２４、１２６は、コネクタケーシング１２２から外へ延伸する第１の延伸方向Ｄ１を有する。第１のモードを例として、コネクタセット１２０と電子装置本体１１０が組み立てられた後、導電ピン１２４、１２６の位置が電子装置１００の長辺側に位置し、導電ピン１２４、１２６が第１の延伸方向Ｄ１に向かう。この場合、電子装置１００は、横向きに壁における家庭用電気コンセントに差し込まれてもよい。
【００１４】
続いて、図４Ａと図４Ｂを参照されたい。図４Ａは、図２Ａに示した電子装置が第２のモードで組み立てられる場合のまた別の段階を示す模式図である。図４Ｂは、図２Ａに示した電子装置が第２のモードで組み立てられる場合のもう一つの段階を示す模式図である。コネクタセット１２０と電子装置本体１１０が同様にレール構造１３２、１３４によって摺動自在に接続するように組み立てられるが、図３Ａと図３Ｂに示した組み立て方式に比べると、本実施例に係るコネクタセット１２０が電子装置本体１１０に対して１８０度回転している。
【００１５】
コネクタセット１２０が第２のモードで電子装置本体１１０と組み立てられた後、導電ピン１２４、１２６は、コネクタケーシング１２２から外へ延伸する、図３Ｂに示した第１の延伸方向Ｄ１と異なった第２の延伸方向Ｄ２を有する。具体的には、第２のモードで、コネクタセット１２０と電子装置本体１１０が組み立てられた後、導電ピン１２４、１２６は、電子装置１００の短辺側に位置してもよく、導電ピン１２４、１２６が第２の延伸方向Ｄ２に向かう。この場合、電子装置１００は、壁における家庭用電気コンセントに直立して差し込まれてもよい。
【００１６】
図３Ｂ及び図４Ｂを同時に参照されたい。コネクタセット１２０が電子装置本体１１０に着脱自在に組み立てられてもよく、且つコネクタセット１２０が第１のモードで電子装置本体１１０に組み立てられる場合、コネクタセット１２０における導電ピン１２４、１２６が第１の延伸方向Ｄ１に向かって延伸する一方、コネクタセット１２０が第２のモードで電子装置本体１１０に組み立てられる場合、コネクタセット１２０における導電ピン１２４、１２６が第２の延伸方向Ｄ２に向かって延伸し、且つ第１の延伸方向Ｄ１と第２の延伸方向Ｄ２との間に角度が挟まれ、即ち、第１の延伸方向Ｄ１と第２の延伸方向Ｄ２とは非ゼロの夾角が挟まれるので、第１のモードと第２のモードの場合、電子装置の外形に合わせて空間を合理的に利用できるように、導電ピン１２４、１２６がそれぞれ異なる方向に向かって延伸している。例えば、本実施例において、第１の延伸方向Ｄ１が第２の延伸方向Ｄ２に実質的に垂直である。異なる電子装置の外形に応じて、様々な夾角が選択されるので、異なる実施例がより多くの適用に適すようになるが、本考案はこれに限定されない。
【００１７】
コネクタセット１２０がある角度で回転した後でも、導電ピン１２４、１２６が依然として電子装置本体１１０における接続端子１１４、１１６にスムーズに電気的接続されるように、コネクタセット１２０は、接続端子１１４、１１６の中線に対して対称な外形を有することが好ましく、且つ導電ピン１２４、１２６と接続端子１１４、１１６とが対称的に配列されるが、本考案はこれに限定されなく、電子装置の機能を実現できればよい。具体的には、本実施例では、コネクタセット１２０のコネクタケーシング１２２が三角形となり、導電ピン１２４、１２６がコネクタケーシング１２２の１つの側面に設けられ、側面の斜面に沿って分布してもよく、且つ導電ピンのエンドが三角形の斜面まで延伸してもよいため、導電ピン１２４、１２６が別々に異なる長さを有してもよいが、本考案はこれに限定されない。
【００１８】
更に具体的には、本実施例において、導電ピンは、第１の導電ピン１２４及び第２の導電ピン１２６を含む。接続端子は、第１の接続端子１１４及び第２の接続端子１１６を含む。コネクタセット１２０が第１のモードで電子装置本体１１０に組み立てられる場合、第１の導電ピン１２４が第１の接続端子１１４に、第２の導電ピン１２６が第２の接続端子１１６に電気的接続されてもよく、コネクタセット１２０が第２のモードで電子装置本体１１０に組み立てられる場合、第１の導電ピン１２４が第２の接続端子１１６に、第２の導電ピン１２６が第１の接続端子１１４に電気的接続されてもよいが、本考案はこれに限定されない。
【００１９】
他の実施例において、異なる設計要求に応じて、コネクタケーシング１２２の外形、導電ピン１２４、１２６の形と配置位置、コネクタセット１２０と電子装置本体１１０との接続方式、又は第１の延伸方向Ｄ１と第２の延伸方向Ｄ２との間に挟まれる角度等を変えてもよいが、本考案はこれに限定されない。例えば、コネクタケーシング１２２が半円形又は台形となってもよく、導電ピン１２４、１２６が同じ長さでコネクタケーシング１２２に並列されてもよい。以下の実施例では、この実施例と異なる部分のみについて説明するが、本実施例と同じ部分について詳しく説明しない。
【００２０】
図５を参照されたい。図５は、本考案の一実施例における電子装置を示す分解図である。電子装置１００は、電子装置本体１１０と、電子装置本体１１０に着脱自在に組み立てられるコネクタセット１２０と、を備える。電子装置本体１１０は、ケース１１２と、２つの接続端子１１４、１１６と、を含む。コネクタセット１２０は、コネクタケーシング１２２と、コネクタケーシング１２２に固定される２つの導電ピン１２４、１２６と、を含む。導電ピン１２４、１２６及び接続端子１１４、１１６の何れの配列方向も前記実施例と異なってもよく、導電ピン１２４、１２６が同じ長さでコネクタケーシング１２２に並列されて設けられてもよい。
【００２１】
コネクタセット１２０と電子装置本体１１０とは、係止するように固定されてもよい。例としては、コネクタケーシング１２２に電子装置本体１１０に向かって延伸する少なくとも２つのトリップ１４２を有する一方、電子装置本体１１０にトリップ１４２に対応する少なくとも２つのスロット１４４を有し、トリップ１４２とスロット１４４との互いの係合によって、コネクタセット１２０を電子装置本体１１０に組み立てるが、本考案はこれに限定されない。同様に、コネクタセット１２０がそれぞれ第１のモードと第２のモードで電子装置本体１１０と組み立てられるように、トリップ１４２及びスロット１４４の位置は、接続端子１１４、１１６の中線に対して対称であることが好ましいが、本考案はこれに限定されない。
【００２２】
図６を参照されたい。図６は、本考案の一実施例における電子装置を示す分解図である。本実施例は、コネクタセット１２０と電子装置本体１１０とが磁気的に接続するように固定されてもよいことに、前記実施例と異なっている。具体的には、電子装置本体１１０の接続端子１１４、１１６に近づく位置に１つ又は複数の磁気デバイス１５２が設けられ、コネクタケーシング１２２の対応する位置に１つ又は複数の磁気デバイス１５４が設けられて、磁気デバイス１５２と磁気デバイス１５４との間の吸引力によって、コネクタセット１２０を電子装置本体１１０に固定してもよい。電子装置本体１１０とコネクタセット１２０をよりしっかりと組み立てるように、電子装置本体１１０及びコネクタセット１２０には、更にトリップ１４２及びスロット１４４が別々に設けられてもよい。磁気デバイス１５２と磁気デバイス１５４との間の磁気吸引力は、位置決めの補助及び操作手触りの向上という効能を達することもできる。コネクタセット１２０がある角度（例えば、１８０度）で回転した後でも、依然として電子装置本体１１０に組み立てられることができるように、磁気デバイス１５２及びスロット１４４が電子装置本体１１０の反対方向の２つの対角に設けられてもよく、磁気デバイス１５４及びトリップ１４２がコネクタケーシング１２２の反対方向の対角に設けられてもよいが、本考案はこれに限定されない。本考案において、磁気デバイスの定義としては、例えば、鉄等の軟磁材料によって製造されたデバイス等の、磁気を直接又は間接発生できるデバイスを含むが、それに限定されない。ある実施例において、磁気デバイスは、その設置が特定されず、コネクタセット又は電子装置本体のケーシングに含まれてもよい。ある実施例において、第１の延伸方向と第２の延伸方向との間の夾角は、３０度、４５度、６０度、７５度、９０度、１０５度、１２０度、１３５度、１５０度、１６５度、１８０度等の何れであってもよい。
【００２３】
図７を参照されたい。図７は、本考案の一実施例における電子装置を示す分解図である。本実施例において、電子装置本体１１０とコネクタセット１２０とは、回転して係合するように固定される。具体的には、電子装置本体１１０のケース１１２に円柱状ボス１６０が設けられてもよく、円柱状ボス１６０の外壁１６２にねじ山を有してもよい。円柱状ボス１６０の材料は、絶縁材料であってもよく、電子装置本体１１０の２つの接続端子１１４、１１６が円柱状ボス１６０の上面から露出してもよい。コネクタセット１２０及び電子装置本体１１０がスリーブ部１６４及び円柱状ボス１６０のねじ山によって締め切られて固定されるように、コネクタセット１２０は、２つの導電ピン１２４、１２６を有し、コネクタセット１２０内に中空のスリーブ部１６４が設けられてもよく、スリーブ部１６４の内壁１６６が同様にねじ山を有し、且つスリーブ部１６４の内径と円柱状ボス１６０の外径とが互にマッチしてもよいが、本考案はこれに限定されない。注意すべきなのは、導電ピン１２４、１２６が選択的に第１の延伸方向又は第２の延伸方向で外へ延伸するように、ねじ山の数を設計することが好ましい。
【００２４】
導電ピン１２４、１２６のコネクタケーシング１２２内に隠された一端は、折り曲げられて形を変え又は他の導接部材等によって、円柱状ボス１６０における接続端子１１４、１１６に電気的接続されてもよい。又は、他の実施例において、導電ピン１２４、１２６は、中間導体（例えば、導線）を介して接続端子１１４、１１６に接続されてもよい。ある実施例において、この中間導体の一端（例えば、導線の一端）は、更に、半田付けられるように円柱状ボス１６０における接続端子１１４、１１６に固定されてもよい。この場合、このような実施例において、コネクタセット１２０が電子装置本体１１０から完全に離れなくても動作できる。回転しすぎて引っ張ることで導線が損傷しないように、関連の位置制限機構に合わせると、コネクタセット１２０と電子装置本体１１０との間の回転角度を３６０度越えないように限制することが好ましいが、本考案はこれに限定されない。ある実施例において、例えば、プラグインのような、電子装置本体とコネクタセットとの配合方式によって、電子装置本体とコネクタセットとは完全に離れてもよい。ある実施例において、電子装置本体とコネクタセットとは、例えば、接続線を内蔵したプラグイン方式によって、部分的に離れてもよい。ある実施例において、例えば、回転式によって、電子装置本体とコネクタセットとは、全く離れなくてもよいが、本考案はこれに限定されない。コネクタセットは、電子装置本体に可動的に組み立てらればよい。
【００２５】
図８を参照されたい。図８は、本考案の一実施例における電子装置を示す分解図である。電子装置１００は、電子装置本体１１０と、コネクタセット１２０と、を備え、コネクタセット１２０が電子装置本体１１０に着脱自在に組み立てられてもよい。本実施例において、コネクタセット１２０は、プラグイン方式で電子装置本体１１０に組み立てられてもよい。具体的には、電子装置本体１１０は、ケース１１２に三角形台座１７０が設けられ、三角形台座１７０の材料が絶縁材料であってもよく、２つの接続端子１１４、１１６がそれぞれ三角形台座１７０の２つの斜面から露出してもよいので、２つの接続端子１１４、１１６がそれぞれ異なる方向に向かってもよい。この設計に応じて、コネクタセット１２０における導電ピン１２４、１２６が折り曲げられるように設計されてもよいが、本考案はこれに限定されない。導電ピン１２４、１２６は、コネクタケーシング１２２から露出してもよく、それらが各自に接続件ケーシング１２２から露出した一端が互に平行であり、共同の延伸方向を有してもよく、２つの導電ピン１２４、１２６のエンドの延伸方向及び延伸長さが異なってもよい。
【００２６】
図９Ａと図９Ｂを参照されたい。図９Ａは、図８に示した電子装置の第１のモードでの組み立て模式図である。図９Ｂは、図８に示した電子装置の第２のモードでの組み立て模式図である。注意すべきなのは、本実施例の技術内容を明らかに理解するために、コネクタケーシングを図示しないことを特に説明しておく。
【００２７】
図９Ａにおいて、コネクタセットが第１のモードで電子装置本体１１０に組み立てられる場合、２つの導電ピン１２４、１２６は、家庭用電気に接続されるための一端が同様な第１の延伸方向Ｄ１に向かって延伸する一方、第１の導電ピン１２４のエンドが三角形台座１７０の１つの側面における第１の接続端子１１４と接続し、第２の導電ピン１２６のエンドが三角形台座１７０の別の側面における第２の接続端子１１６と接続する。第１の接続端子１１４と第２の接続端子１１６との間におおよそ９０度の角度が挟まれるため、第１の導電ピン１２４と第２の導電ピン１２６のエンドが指す方向もおおよそ互に垂直であるが、本考案はこれに限定されなく、導電ピンが接続端子と電気的接続すればよい。
【００２８】
図９Ｂを参照されたい。コネクタセットが第２のモードで電子装置本体１１０に組み立てられる場合、２つの導電ピン１２４、１２６家庭用電気に接続されるための一端が同様な第２の延伸方向Ｄ２に向かって延伸する一方、第１の導電ピン１２４のエンドが三角形台座１７０の１つの側面における第２の接続端子１１６と接続し、第２の導電ピン１２６のエンドが三角形台座１７０の別の側面における第１の接続端子１１４と接続する。
【００２９】
続いて、図８と図１０を同時に参照されたい。図１０は、図８に示したコネクタのケーシング１２２を別の視角から見た模式図である。電子装置本体１１０の三角形台座１７０には、第１の延伸方向と第２の延伸方向に平行である溝１７２を有してもよく、コネクタケーシング１２２の内壁にストリップ状ラグ１７４が設けられてもよい。コネクタセット１２０と電子装置本体１１０が係合される場合、ストリップ状ラグ１７４が溝１７２において摺動自在であり、それにより、コネクタセット１２０と電子装置本体１１０との組み立てを導引し、且つストリップ状ラグ１７４と溝１７２との係合によってコネクタセット１２０を電子装置本体１１０に固定するが、本考案はこれに限定されない。
【００３０】
続いて図１１を参照されたい。図１１は、本考案の更に１つの実施例における電子装置を示す分解図である。本実施例は、主に、電子装置１００のコネクタセット１２０が隅に位置せず、電子装置１００のその中の１つの側面に位置してもよいことに、前記実施例と異なっている。電子装置１００には、回路基板１１８と、回路基板１１８に固定される２つの接続端子１１４、１１６と、を備える。電子装置１００のケース１１２には、段階状プラットフォーム１８０を有してもよく、段階状プラットフォーム１８０がケース１１２の凹部内に設けられてもよい。段階状プラットフォーム１８０の両端にそれぞれ開口１８２が設けられてもよく、開口１８２の位置と大きさが接続端子１１４、１１６に対応してもよく、ケース１１２の組み立てが完成した後、接続端子１１４、１１６が段階状プラットフォーム１８０の両端の開口１８２と配合してもよいが、本考案はこれに限定されない。
【００３１】
コネクタセット１２０は、コネクタケーシング１２２と、導電ピン１２４、１２６と、を含む。ケース１１２は、段階状プラットフォーム１８０の対向する両側に設けられる２組の滑斜面１８４、１８６を有してもよく、コネクタケーシング１２２に１組のスライダ１８８が設けられてもよい。２組の滑斜面１８４、１８６がそれぞれ第１の延伸方向Ｄ１及び第２の延伸方向Ｄ２に沿って設けられてもよい。導電ピン１２４、１２６の設置方向を変えるように、コネクタセット１２０は、スライダ１８８によって選択的に２組の滑斜面１８４、１８６の中の１つと結合してもよい。例としては、図１２Ａに示すように、スライダ１８８が第２の延伸方向Ｄ２に沿って設けられる滑斜面１８６と係合されると、コネクタセット１２０と電子装置本体１１０とを組み立てる場合、導電ピン１２４、１２６が第１の延伸方向Ｄ１に向かって延伸するが、図１２Ｂに示すように、スライダ１８８が第１の延伸方向Ｄ１に沿って設けられる滑斜面１８４と係合されると、コネクタセット１２０と電子装置本体１１０とを組み立てる場合、導電ピン１２４、１２６が第２の延伸方向Ｄ２に向かって延伸するが、本考案はこれに限定されない。
【００３２】
コネクタセット１２０と電子装置本体１１０との接続の信頼性を更に確保するために、ケース１１２には、２つのスロット１４４が設けられてもよく、コネクタケーシング１２２にトリップ１４２が設けられてもよい。それにより、スライダ１８８が滑斜面１８４又は１８６と結合する場合、トリップ１４２が対応するスロット１４４に嵌め込まれ、コネクタセット１２０と電子装置本体１１０との接続の信頼性を更に向上させる。
【００３３】
続いて図１３Ａと図１３Ｂを参照されたい。図１３Ａは、図１２Ａに示した電子装置のケース部分を隠した組み立て模式図である。図１３Ｂは、図１２Ｂに示した電子装置のケース部分を隠した組み立て模式図である。図１３Ａと図１３Ｂにおいて、導電ピン１２４、１２６と接続端子１１４、１１６との接続関係を明らかに表すために、ケースの一部が隠される。導電ピン１２４、１２６が異なる延伸方向の何れにおいても接続端子１１４、１１６に電気的接続されることができるように、接続端子１１４、１１６は、折り曲げられてもよく、Ｌ状の２つの接続面を有してもよい。
【００３４】
本考案は、変形した各種の実施例を有する。上記実施例では、２つの導電ピン及び２つの接続端子について説明したが、異なるプラグ設計に合わせて、３本足のプラグ等に適用されることもできる。導電ピンの外形もプレート形に限定されず、プラグの規格に応じて、円柱形状や方形等であってもよい。導電ピン及び接続端子の接続は、機械的な接続に限定されべきではなく、電気的接続と理解されるべきである。その電気的接続は、両者の直接的な接触によって実現されてもよく、中間導体による両者の接続によって実現されてもよく、又は他の方式によって実現されてもよい。コネクタセットと電子装置本体との配合や取り付けには、多種の方式又は方式の組み合わせを採用してもよい。インターフェース電気抵抗の減少及び電気接続の安全性向上のために、更に弾性デバイス又は磁気デバイスを内蔵するように接続の信頼性を向上させてもよいが、本考案はこれに限定されない。
【００３５】
本考案は、例えば、通信設備又はコンピューターのような、前記電子装置を適用した電子設備を更に保護する。通訊設備としては、例えば、携帯電話、移動基地局、ブルートゥース伝送装置等であってもよい。コンピューターとしては、例えば、図１に示すノートパソコン、タブレットコンピューター、個人情報端末（ＰＤＡ）又はデスクトップコンピューター等であってもよい。
【００３６】
上記実施例から、本考案の実施例が提供する充電機能付き電子装置は、異なる接合方向を提供でき、電子装置が充電を行う場合、導電ピンは、異なる方向を選んで壁における電源ソケット等の箇所の差し込まれてもよく、空間使用の柔軟性を効果的に向上させ、多すぎる充電器を同時に用いることによる空間の詰まることで同時に充電できないという問題を解決したことが判明される。
【００３７】
本考案を実施例で上記の通りに開示したが、これは、本考案を限定するものではなく、当業者であれば、本考案の思想と範囲から逸脱しない限り、多様の変更や修正を加えることができ、したがって、本考案の保護範囲は、下記添付の実用新案登録請求の範囲で指定した内容を基準とするものである。
【符号の説明】
【００３８】
１００  電子装置
１００ａ  充電器
１００ｂ  携帯電源
１１０  電子装置本体
１１２  ケース
１１４、１１６  接続端子
１１８  回路基板
１２０  コネクタセット
１２２  コネクタケーシング
１２４、１２６  導電ピン
１３２、１３４  レール構造
１４２  トリップ
１４４  スロット
１５２、１５４  磁気デバイス
１６０  円柱状ボス
１６２  外壁
１６４  スリーブ部
１６６  内壁
１７０  三角形台座
１７２  溝
１７４  ストリップ状ラグ
１８０  段階状プラットフォーム
１８２  開口
１８４、１８６  滑斜面
１８８  スライダ
２００  携帯式電子装置
２１０  線材
Ｄ１  第１の延伸方向
Ｄ２  第２の延伸方向
【図１】
0003200505.tif 000003
【図２Ａ】
0003200505.tif 000004
【図２Ｂ】
0003200505.tif 000005
【図３Ａ】
0003200505.tif 000006
【図３Ｂ】
0003200505.tif 000007
【図４Ａ】
0003200505.tif 000008
【図４Ｂ】
0003200505.tif 000009
【図５】
0003200505.tif 000010
【図６】
0003200505.tif 000011
【図７】
0003200505.tif 000012
【図８】
0003200505.tif 000013
【図９Ａ】
0003200505.tif 000014
【図９Ｂ】
0003200505.tif 000015
【図１０】
0003200505.tif 000016
【図１１】
0003200505.tif 000017
【図１２Ａ】
0003200505.tif 000018
【図１２Ｂ】
0003200505.tif 000019
【図１３Ａ】
0003200505.tif 000020
【図１３Ｂ】
0003200505.tif 000021